(57)【要約】本装着装置は引張りケーブルの張力が小さいかまたは極めて小さい場合に大きな変速比で作動するため、ハンドル車が回転運動させられる際に引張りケーブルの長さを大きく変化させることが可能である。引張りケーブルの張力が一定のしきい値を超えると直ちに装着装置は減速されて作動するため、ハンドル車の回転運動は引張りケーブルの比較的小さな長さ変化を生じ、非常に微細な張力調整が可能となる。
2007501038.tif 000002
【特許請求の範囲】
【請求項１】
１本または複数本の引張りケーブルと結合されたもしくは結合可能な少なくとも１個のケーブルドラム（９）と、
― 前記１個または複数個のケーブルドラムを回転させるためのハンドル車（３）と、
― 前記ハンドル車と前記１個または複数個のケーブルドラムとの間に配置されて、前記  ハンドル車から前記１個または複数個のケーブルドラムへと減速されたトルクを伝達す  る歯車機構（５）と、
― 有効な作用状態において、前記１本または複数本の引張りケーブルの装着回転方向へ  の前記１個または複数個のケーブルドラムの回転運動しか許容しない引き外し可能な逆  転止め爪（１１、１２）とを備える、
ケーブル式靴における引張りケーブル（１０）、特に複数本の引張りケーブル束の装着装置において、
前記のハンドル車と前記１個または複数個のケーブルドラムとの間に直接の静摩擦機構（６、１１）が設けられ、該機構は前記ハンドル車と同一回転方向における前記１個または複数個のケーブルドラムの装着回転方向への回転運動時には張力がかかった連結を生じないことを特徴とする装着装置。
【請求項２】
請求項１に記載の装着装置において、
ハンドル車（３）と１個または複数個のケーブルドラム（９）との間に静摩擦を生じる係止機構（６、１１）が配置されていることを特徴とする装着装置。
【請求項３】
請求項１または２に記載の装着装置において、
ハンドル車（３）と１個または複数個のケーブルドラム（９）との間に遊星歯車機構（５）が配置され、該機構の太陽歯車（４）は前記ハンドル車と、該機構の遊星キャリア（７）は前記の１個または複数個のケーブルドラムとそれぞれ張力がかかった状態に連結されており、該機構の環状歯車（６）は前記遊星キャリアの装着回転方向と同一回転方向に回転可能であることを特徴とする装着装置。
【請求項４】
請求項３に記載の装着装置において、
遊星キャリア（７）は環状歯車（６）に対して相対的に装着回転方向とは逆方向の回転運動が第一の止め爪（１１）によって阻止され、前記環状歯車には引き外し可能な第二の止め爪(１２)が作用し、該止め爪は有効な作用状態において前記遊星キャリアの装着回転方向と同一回転方向への前記環状歯車の回転しか許容しないことを特徴とする装着装置。
【請求項５】
請求項４に記載の装着装置において、
遊星キャリア（７）と環状歯車（６）とは第一の止め爪（１１）の拡開方向において互いに静摩擦によって連結されており、該静摩擦力は前記の第二の止め爪からの自由回転運動方向に前記環状歯車が回転運動する際に第二の止め爪(１２)によって該環状歯車に作用させられる阻止力よりも大きいことを特徴とする装着装置。
【請求項６】
請求項４または５に記載の装着装置において、
遊星キャリア（７）には弾性止め爪（１１）が配置もしくは一体成形されており、該止め爪はそれに対応する、環状歯車（６）の内周に設けられた非対称の歯形を有する内周歯列と連携して、前記遊星キャリアと環状歯車との相対回転運動を一方向においては相補係合によって阻止し、他方向においては係止抵抗によって生ずる静摩擦力に抗して許容することを特徴とする装着装置。
【請求項７】
請求項５または６に記載の装着装置において、
手動によって引き外し可能な止め爪装置(１２)は環状歯車（６）の外周に設けられた非対称の歯形を有する外周歯列と連携して、一方向への前記環状歯車の回転運動を相補係合によって阻止し、他方向への前記環状歯車の回転運動を係止抵抗によって生ずる小さな静摩擦力によってのみ妨げるが、該静摩擦力はハンドル車(３)と１個または複数個のケーブルドラム（９）との間の静摩擦力および／または遊星キャリア（７）と環状歯車（６）との間の静摩擦力よりも小さいことを特徴とする装着装置。
【発明の詳細な説明】
【技術分野】
【０００１】
本発明は、
― １本または複数本の引張りケーブルと結合されたもしくは結合可能な少なくとも１個  のケーブルドラムと、
― 上記１個または複数個のケーブルドラムを回転させるためのハンドル車と、
― 上記ハンドル車と上記１個または複数個のケーブルドラムとの間に配置されて、上記  ハンドル車から上記１個または複数個のケーブルドラムへと減速されたトルクを伝達す  る歯車機構と、
― 有効な作用状態に置いて、上記１本または複数本の引張りケーブルの装着回転方向へ  の上記１個または複数個のケーブルドラムの回転運動しか許容しない引き外し可能な逆  転止め爪とを備える、
ケーブル式靴における引張りケーブル、特に複数本の引張りケーブル束の装着装置に関する。
【背景技術】
【０００２】
引張りケーブル束と、ハンドル車によって操作される、該引張りケーブル束に対応する装着装置とを有したケーブル式靴は市場において入手することができる。
【０００３】
これらの装着装置については一方で、ハンドル車が引張りケーブルの張りを高める回転方向への回転運動時にケーブルドラムと直接に張力がかかった状態で連結され、したがってケーブルドラムはハンドル車と同一回転角度だけの回転運動を実施する構造が知られている。この点については、たとえば欧州特許第０ ６５１ ９５４号明細書、欧州特許出願公開第０ ５４０ ２５１号明細書ならびにオーストリア特許第１９５ ７５１号明細書を参照されたい。この種の構造の利点は、ハンドル車の比較的小さな回転調整によって引張りケーブルの長さの大きな変化が実現されることである。
【０００４】
他方、ハンドル車とケーブルドラムとの間に、ハンドル車の回転運動を減速する歯車機構が配置されている装着装置も知られている。したがってこの場合、引張りケーブルの長さが短かくなっていれば、ケーブルドラムはハンドル車に対して相対的に著しく小さな回転動程を実施する。こうした構造に関しては、例えば米国特許４、９６１、５４４  Ｂ１、同６、２０２，９５３、同６，２８９，５５８  B１に示されている。歯車機構を備えたこの種の装着装置の利点は、引張りケーブルの非常に僅かな長さ変化も、したがってごく僅かな張力変化も容易に調整することができることである。
【０００５】
ＢＯＡテクノロジー・インコーポレーティッド社[BOA Technology,Inc.]は、遊星歯車機構を備えた装着装置であって、歯車機構を備えているにもかかわらずわずかな装置スペースしか必要としない装置も提供している。
【発明の開示】
【発明が解決しようとする課題】
【０００６】
そこで本発明の目的は、冒頭に述べた類の装着装置において特に至便かつ速やかな操作を可能とすることである。
【課題を解決するための手段】
【０００７】
前記課題は本発明により、ハンドル車とケーブルドラム( １個または複数個)との間に直接の静摩擦機構が設けられ、この静摩擦機構はハンドル車と同一回転方向におけるケーブルドラム( １個または複数個)の装着方向回転運動時には張力がかかった連結を生じないことによって解決される。
【０００８】
本発明の基礎を成す一般的な思想は、ハンドル車とケーブルドラム( １個または複数個)との間に２種類の駆動連結 ― つまり、小さな張力の達成にのみ適した静摩擦連結ならびに原理的に任意の大きさの張力に適した相補係合連結 ― を設けることである。相補係合連結は静摩擦連結に対して相対的に減速ギア比を有するため、引張りケーブルが弛んでいる場合には先ず静摩擦連結が有効となって、引張りケーブルの弛みを速やかに取り除き、他方、その後、静摩擦に加えている規定の張力を超えると、自動的に相補係合連結が有効となり、所望の非常に微細な張力調整が可能となる。このコンセプトを実現するために、相補係合連結を実現する歯車機構はケーブルドラム( １個または複数個)に装着回転方向に実現される、限定的な阻止力に抗する自由回転運動が可能となるように形成されていてよい。
【０００９】
本発明の特に好適な１実施形態において、ハンドル車とケーブルドラム( １個または複数個)との間には静摩擦を生じる係止機構を配置することができる。こうして、この係止力により、静摩擦によって伝達可能な最大トルクが決定される。さらに、係止力の超過を良好に感知することができ、したがって、ハンドル車による装着回転方向へのケーブルドラムの調整が静摩擦のみによって行なわれているかそれとも相補係合作動する歯車機構によって行なわれているかも感知し得るようにするのが好適である。
【００１０】
本発明の特に有用かつコンパクトな実施形態において、ハンドル車とケーブルドラム( １個または複数個)との間には遊星歯車機構が配置され、その太陽歯車はハンドル車と、その遊星キャリアはケーブルドラム( １個または複数個)とそれぞれ張力がかかった状態で連結されており、その環状歯車は遊星キャリアの装着回転方向と同一回転方向に回転可能であり、そのため、ケーブルドラム( １個または複数個)をハンドル車により静摩擦のみによって装着回転方向に回転調整するために必要な自由回転が可能である。
【００１１】
この実施形態において、遊星キャリアは環状歯車に対して相対的に装着回転方向とは逆方向の回転運動が第一の止め爪によって阻止され、環状歯車に対しては引き外し可能な第二の止め爪が作用し、この止め爪は有効な作用状態において遊星キャリアの装着回転方向と同一回転方向の環状歯車の回転運動のみを許容するのが特に好適である。
【００１２】
この場合、特に、遊星キャリアと環状歯車とは第一の止め爪を介してこの止め爪の拡開方向に作用する静摩擦力によって互いに連結されており、この静摩擦力は第二の止め爪からの自由回転運動方向に環状歯車が回転運動する際に第二の止め爪によって環状歯車に作用させられる阻止力よりも大きくすることができる。
【００１３】
この実施形態において、第一の止め爪は二重の機能を有している。
【００１４】
一方において、第一の止め爪は、第二の止め爪が有効な作用状態にある際に、ケーブルドラム( １個または複数個)が引張りケーブル( １本または複数本)の弛緩回転方向に回転運動することを阻止する。他方において、第一の止め爪は遊星キャリアと環状歯車との間に静摩擦連結を生ずるため、引張りケーブル( １本または複数本)の張力が小さければ、太陽歯車、遊星キャリアおよび環状歯車は装着回転方向と同一回転方向への同一回転運動を実施することができ、こうして引張りケーブル( １本または複数本)の速やかな調整が実現される。
【００１５】
さらに、本発明の好ましい特徴については、請求項の記載ならびに、本発明の特に好適な実施形態を詳細に述べた下記の図面説明を参照されたい。言うまでもなく保護範囲は明文を以って請求または記載された特徴の組み合わせに制限されるものではなく、原理的に任意のその他の従位特徴の組み合わせにも及ぶものである。
【発明を実施するための最良の形態】
【００１６】
ケーシング１の内部にはシャフト２が回動支持されており、該シャフト２にはケーシング１の外側にハンドル車３が、ケーシング１の内側に、ケーシング１内に収容された遊星歯車機構５の太陽歯車４がそれぞれ相対回動しないように固定されて配置されている。遊星歯車機構５はシャフト２に回転可能に支持された環状歯車６ならびに同じくシャフト２に回転可能に支持された遊星キャリア７を有している。該遊星キャリアはその遊星歯車８の軸を介して、シャフト２に回転可能に支持されたケーブルドラム９と相対回動しないように結合されており、該ケーブルドラム自体は引張りケーブル１０と結合されている。
【００１７】
遊星歯車８は通例の歯列を有し、これらの歯は太陽歯車の外周に設けられた対応する歯列ならびに環状歯車６の内周に設けられた、遊星歯車８に対応する歯列と噛合している。
【００１８】
半径方向において遊星キャリア７の軸部に対向する環状歯車６の内周には、図３に示したように、鋸歯状歯列が配置されており、遊星キャリア７に配置もしくは一体成形された止め爪１１はこの鋸歯状歯列に一方の円周方向に向かっては相補係合によって噛み合い、他方の円周方向に向かっては静摩擦によって係止されている。したがって、遊星キャリア７は、図３に示した例において、環状歯車６に対して相対的に時計回り方向には回転不能である。他方、遊星キャリア７は反時計回り方向には、前記の環状歯車の内周歯列によって止め爪１１に生ずる静摩擦抵抗に抗して環状歯車６に対して相対回転運動することが可能である。
【００１９】
環状歯車６の外周にはもう一つの鋸歯状歯列が配置されており、該鋸歯状歯列はケーシング１に配置されて手動によって引き外し可能な止め爪１２と連携する。止め爪１２が有効な作用状態にある場合には環状歯車６は、図３に示した例において、ケーシング１に対して反時計回り方向にしか相対回転することができない。つまり、環状歯車６がケーシング１に対して回転可能な相対回転運動方向は遊星キャリア７が環状歯車６に対して回転可能な相対回転運動方向と同一である。止め爪１２により反時計回り方向の環状歯車６の回転運動に抗して作用する阻止力は止め爪１１により環状歯車６に対する遊星キャリアの相対回転運動に抗して作用する阻止力よりも小さい。
【００２０】
前記のシステムは以下のように機能する。
【００２１】
図１に示した矢印Ｐの方向から見た場合、環状歯車の内外周に設けられた鋸歯状歯列が図３に示したように配向されていれば、ケーブル１０を装着させるためのハンドル車３は反時計回り方向に回転させられる。
【００２２】
先ずケーブル１０はたるみを有していてよく、つまりケーブル１０の張力はさしあたり極めて小さい。この場合、ハンドル車３が反時計回り方向に回転させられる場合、遊星キャリア７と環状歯車６との間に止め爪１１によって生ずる阻止力はまだ超えられることがない。したがって、ハンドル車３、太陽歯車４、遊星キャリア７ならびに環状歯車６は同一方向に向かって同一の回転角度だけ回転運動を実施する。それゆえこれは、遊星キャリア７と回転確動結合されたケーブルドラム９がケーブル１０の装着回転方向にハンドル車３と同一の回転運動を実施するのと同義である。したがって、結果としてケーブル１０のたるみは速やかに取り除かれることとなる。
【００２３】
続いて今や、ケーブル１０の張力は環状歯車６と遊星キャリア７との間に存在する阻止力によって定まった規定値を越えるようになる。今やハンドル車３が反時計回り方向にさらに回転続行させられると、太陽歯車４により遊星歯車８を経て環状歯車６に十分に大きな時計回り方向のトルクが伝達され、こうして環状歯車６は時計回り方向に回転しようとする。ただしこの回転運動は止め爪１２の作用によって阻止されるため、環状歯車６はケーシング１に対して相対的に不動のままである。したがって今や遊星キャリアは、遊星歯車機構５の減速比に応じ、ハンドル車３の回転に比較して減速された回転運動を続行するため、ケーブルドラム９もケーブル１０の装着回転方向に等しく減速されて回転させられることとなる。これにより、結果として、引張りケーブル１０の長さと張力とを非常に微細に調整することができる。
【００２４】
引張りケーブル１０を弛ませるか、たるませるかする必要がある場合には、止め爪１２が図３に示した矢印Qの方向に手動によって引き外されるため、環状歯車６と共にケーブルドラム９も時計回り回転方向、したがってケーブル１０の弛緩回転方向に回転させることができる。この回転はハンドル車３の適切な、手動による時計回り方向への回転調整によって支援することができる。
【図面の簡単な説明】
【００２５】
【図１】遊星歯車機構を備えた本発明による装着装置の軸方向概略断面図である。
【図２】図１の切断面II−IIから見た概略断面図である。
【図３】図１の切断面III−IIIから見た概略断面図である。
【図１】
2007501038.tif 000003
【図２】
2007501038.tif 000004
【図３】
2007501038.tif 000005
【国際調査報告】
2007501038.tif 000006
2007501038.tif 000007
2007501038.tif 000008
2007501038.tif 000009